(57)【特許請求の範囲】
【請求項１】
浴水を濾過する濾過装置と浴槽との間をポンプにより浴水を循環させて浴水の浄化を行う浴水浄化装置において、
前記濾過装置の出水側に設けられた浴水に薬剤を注入する薬剤注入装置と、
前記薬剤注入装置の出水側に設けられた浴水の薬剤濃度を測定する装置と、
該薬剤注入装置による薬剤注入の後、前記薬剤濃度を測定する装置による薬剤濃度の検出値が所定値以上になった時前記ポンプを停止させて浴水の循環を停止させ、その後、前記薬剤濃度を測定する装置による薬剤濃度の検出値が所定値以下になった時、前記ポンプの運転を再開する制御装置と、
を備えたことを特徴とする浴水浄化装置。
【発明の詳細な説明】
【０００１】
【発明の属する技術分野】
この発明は、浴水浄化装置に関する。
【０００２】
【従来の技術】
浴槽の浴水を入水して、濾過装置などにより浄化し、必要に応じて殺菌や加熱などを加えた後、再び浴槽に出水することにより浴槽の浴水を浄化する装置が近年普及している。
このような浴水浄化装置において、上記した濾過装置による濾過や殺菌灯やオゾン等による殺菌に加えて、薬剤を浴水に注入して殺菌や除菌を行うことにより浴水の浄化を更に向上させることが近年注目されている。
【０００３】
【発明が解決しようとする課題】
しかし、薬剤を浴水に注入した場合、薬剤を添加した浴水が濾過装置を通過することになり、薬剤が濾過装置に吸着されて薬剤濃度が低下してしまい、殺菌消毒効果が十分に得られない問題があった。
本発明は上記した問題点を解決することを目的とする。
【０００４】
【課題を解決するための手段】
上記目的を達成するために、本発明は、浴水を濾過する濾過装置と浴槽との間をポンプにより浴水を循環させて浴水の浄化を行う浴水浄化装置において、前記濾過装置の出水側に設けられた浴水に薬剤を注入する薬剤注入装置と、前記薬剤注入装置の出水側に設けられた浴水の薬剤濃度を測定する装置と、該薬剤注入装置による薬剤注入の後、前記薬剤濃度を測定する装置による薬剤濃度の検出値が所定値以上になった時前記ポンプを停止させて浴水の循環を停止させ、その後、前記薬剤濃度を測定する装置による薬剤濃度の検出値が所定値以下になった時、前記ポンプの運転を再開する制御装置と、を備えたことを特徴とする。
薬剤を注入した後薬剤濃度が所定値以上になった時に、浴水の循環を停止し、その後、該薬剤濃度が所定値以下になった時に、ポンプの運転を再開し、循環を再開するように制御されるから、所定の薬剤濃度以上で確実に消毒が行え、しかも薬剤濃度が所定値以下になるまで運転は再開されないから、薬剤濃度が高い時には浴水は濾過装置を通らない。そのため薬剤が濾過装置に吸着されることなく、薬剤による殺菌、除菌効果が維持できる。
【０００５】
【発明の実施の形態】
以下本発明の実施の形態を図面に基づいて説明する。
図１において、浴水浄化装置は入水管５１と出水管５２を介して浴槽５０に接続され、浴槽５０の浴水を入水管５１から入水して、所定の処理を施した上出水管５２により浴槽５０に出水する構成になっている。この動作を繰り返し、浴水を循環させて浄化を行うように構成されている。
浴水浄化装置は制御装置１によりコントロールされている。
【０００６】
入水管５１に濾過装置３が接続されている。この濾過装置３には内部に濾材が充填されており、ここで浴水の濾過を行うようになっている。
【０００７】
濾過装置３に接続してヒータ４が設けられ、ここで浴水は所定の加熱を受けるようになっている。ヒータ４は制御装置１により制御されている。ヒータ４の次に薬剤注入装置５が設けられており、ここで塩素剤等の殺菌消毒或いは除菌用の薬剤を浴水に注入するように構成されている。薬剤注入装置５による薬剤の注入開始、注入停止、注入量は制御装置１により制御されるように構成されている。人手により行うようにすることも云ううまでもなく可能である。
【０００８】
薬剤注入装置５の次に薬剤濃度測定装置６が設けられており、浴水中の薬剤濃度を測定するようになっている。この測定値は制御装置１に送られ、制御装置１における種々の制御のデータとして使用されるように構成されている。
【０００９】
薬剤濃度測定装置６の次にポンプ７が設けられており、このポンプ７により浴水の循環を行わせるようになっている。ポンプ７からの浴水は出水管５２により浴槽５０に出水され、再び入水管５１から入水されて循環されるように構成されている。
【００１０】
制御装置１にはタイマ８が設けられており、浴水の循環を停止する時間等を計測するように構成されている。また、前回の薬剤注入からの時間なども計測するように構成されている。
【００１１】
表示装置９は装置の所定の位置に設けられており、制御装置１からの制御により種々の表示をユーザに対して行うようになっている。この実施形態では、薬剤注入中であること等を表示するように構成されている。
【００１２】
以上の構成において、浴槽５０の浴水はポンプ７の駆動により入水管５１を介して濾過装置３に入水し、ここで濾過され、ヒータ４において加温され、薬剤注入装置５と薬剤濃度測定装置６及びポンプ７を通って出水管５２から浴槽５０に戻るようになっている。この動作を繰り返して浴水は循環し浄化されるようになっている。
【００１３】
薬剤の注入は、ユーザによる手動により行っても良いし、或いはタイマ８により前回の注入から所定時間経過後に自動的に行うようにしてもよい。
薬剤注入装置５による薬剤の注入後に所定時間経過したらポンプ７に制御信号が送られ、ポンプ７は停止して浴水の循環を停止するようになっている。これにより、浴水は濾過装置３を通らず、薬剤が濾過装置３の濾材に吸着するのを防止することが出来る。この時、表示装置９には消毒モードである旨の表示がなされるようになっている。
ポンプ７の運転を再開して、元の濾過モードに戻すには種々の方法が可能であり、例えばタイマ８による時間計測や薬剤濃度測定装置６による薬剤濃度の低下など基づいて行うことが可能である。本発明においては、薬剤濃度測定装置６による薬剤濃度の低下など基づいて行っている。
【００１４】
薬剤濃度測定装置６からの薬剤濃度データを用いる場合は、例えば薬剤注入装置５からの薬剤注入後、所定の濃度になったらポンプ７の運転を停止し、所定の濃度以下になったら、再びポンプ７の運転を再開して、濾過装置３に浴水を通して通常の濾過モードとする。
【００１５】
なお、薬剤濃度測定装置６からの薬剤濃度データに基づいて薬剤注入装置５からの薬剤の注入量を制御して、薬剤濃度を基準値以上になるように制御装置１に制御させることも可能である。この場合、効果的な殺菌消毒を行うことが可能になる。
【００１６】
図２により、参考例としてタイマ８を用いる場合の動作を説明する。
タイマ８による時間計測あるいは手動などによる薬剤注入（消毒）開始運転指令があると（ステップＳ１）、タイマ８が所定時間（この例では２時間）の時間計測を開始し（ステップＳ２）、同時に制御装置１は薬剤注入装置５に指令を送り薬剤（塩素）を所定量投入させ（ステップＳ３）、表示装置９に消毒状態の旨の表示を行わせ（ステップＳ４）、ポンプ７の運転を停止させる（ステップＳ５）。この状態では、浴水は濾過装置３を通過せず、薬剤が濾過装置３に吸着されることがなく、効果的な殺菌消毒が行われる。タイマ８の計時で所定時間経過すると（ステップＳ６）、制御装置１はポンプ７の運転を再開させて元に戻し、濾過装置３を通過させるようにし（ステップＳ７）、表示装置９に消毒状態終了の旨の表示を行わせ（ステップＳ８）、動作を終了する。
【００１７】
次に薬剤濃度測定装置６を使用する本発明の実施例を説明する。
図３に示すようにタイマ８による時間計測あるいは手動などによる薬剤注入（消毒）開始運転指令があると（ステップＳ１１）、制御装置１は薬剤注入装置５に指令を送り薬剤（塩素）を所定量投入させる（ステップＳ１２）。そして、薬剤濃度測定装置６により薬剤の濃度が所定値以上か否かチェックし（ステップＳ１３）、所定値以上になったら、制御装置１はポンプ７への運転を停止させ（ステップＳ１４）、表示装置９に消毒状態の旨の表示を行わせる（ステップＳ１５）。この状態では、浴水は濾過装置３を通過せず、薬剤が濾過装置３に吸着されることがなく、効果的な殺菌消毒が行われる。薬剤濃度測定装置６による薬剤濃度の検出値が所定値以下になったら（ステップＳ１６）、制御装置１はポンプ７への運転を再開して元に戻し、濾過装置３を通過させるようにし（ステップＳ１７）、表示装置９に消毒状態終了の旨の表示を行わせ（ステップＳ１８）、動作を終了する。
【００１８】
次に薬剤濃度測定装置６を用いて薬剤の濃度を所定値以上にする参考例を図４により説明する。
タイマ８による時間計測あるいは手動などによる薬剤注入（消毒）開始運転指令があると（ステップＳ２１）、タイマ８が所定時間（この例では２時間）の時間計測を開始し（ステップＳ２２）、同時に表示装置９に消毒状態の旨の表示を行い（ステップＳ２３）、更に薬剤注入装置５に指令を送り薬剤（塩素）の投入を開始する（ステップＳ２４）。そして、薬剤濃度測定装置６により残留塩素濃度を検出し（ステップＳ２５）、その値が基準値以上か否か判断し（ステップＳ２６）、基準値以上となるまで塩素投入を続ける。基準値以上になったらポンプ７の運転を停止する（ステップＳ２７）。この状態では、浴水は濾過装置３を通過せず薬剤が濾過装置３に吸着されることがなく、効率的でかつ効果的な殺菌消毒が行われる。
タイマ８の計時で所定時間経過すると（ステップＳ２８）、制御装置１はポンプ７の運転を再開させて元に戻し、濾過装置３を通過させるようにし（ステップＳ２９）、表示装置９に消毒状態終了の旨の表示を行わせ（ステップＳ３０）、動作を終了する。
【００１９】
以上説明したように、上記実施形態においては薬剤注入した場合には、所定時間ポンプ７を停止し、濾過装置３に浴水を通過させないため、濾過装置３に薬剤が吸着されることがなく、効果的な殺菌消毒あるいは滅菌や除菌を行える。また濾過装置３の濾材として活性炭などの吸着系の濾材の使用も可能になる。また濾材の長寿命化も図れる。
【００２０】
【発明の効果】
以上説明したように本発明の浴水浄化装置によれば、薬剤注入による殺菌消毒或いは滅菌、除菌を効果的に行える効果がある。
【図面の簡単な説明】
【図１】本発明の一実施形態を示す概略図。
【図２】参考例の動作を示すフローチャート図。
【図３】本発明の一実施形態の動作を示すフローチャート図。
【図４】参考例の動作を示すフローチャート図。
【符号の説明】
１：制御装置、３：濾過装置、４：ヒータ、５：薬剤注入装置、６：薬剤濃度測定装置、７：ポンプ、８：タイマ、９：表示装置、２０：切換弁、５０：浴槽、５１：入水管、５２：出水管。
【図１】
0005024805.tif 000002
【図２】
0005024805.tif 000003
【図３】
0005024805.tif 000004
【図４】
0005024805.tif 000005